(57)【要約】【課題】緊急地震速報を受信した際、即座に在宅情報・安否情報等を関係者に送信することができるデジタル放送受信機を提供する。【解決手段】デジタル放送受信機は、放送波から緊急地震速報の情報を取得する緊急地震速報取得モジュールと、居住者の在宅状況を登録する在宅状況登録モジュールと、前記緊急地震速報取得モジュールが、緊急地震速報の情報を受信したとき、予め登録された送信先メールアドレスに前記在宅状況を送信する安否情報送信モジュールとを有する。【選択図】図４
2013207786.tif 000002
【特許請求の範囲】
【請求項１】
放送波から緊急地震速報の情報を取得する緊急地震速報取得モジュールと、
居住者の在宅状況を登録する在宅状況登録モジュールと、
前記緊急地震速報取得モジュールが、緊急地震速報の情報を受信したとき、予め登録された送信先メールアドレスに前記在宅状況を送信する安否情報送信モジュールと
を有するデジタル放送受信機。
【請求項２】
前記在宅状況登録モジュールは、前記デジタル放送受信機の電源が投入されたときに前記居住者の前記在宅状況を登録する画面を表示する請求項１に記載されたデジタル放送受信機。
【請求項３】
前記在宅状況登録モジュールは、所定時間の間隔で前記居住者の前記在宅状況を登録する画面を表示する請求項１に記載されたデジタル放送受信機。
【請求項４】
前記在宅状況登録モジュールは、ＣＭ（Commercial Message）放送が開始されたときに前記居住者の前記在宅状況を登録する画面を表示する請求項１に記載されたデジタル放送受信機。
【請求項５】
前記在宅状況登録モジュールは、前記居住者の氏名をフラッシュメモリに記憶させる請求項１に記載されたデジタル放送受信機。
【請求項６】
前記在宅状況登録モジュールは、前記居住者の前記在宅状況をフラッシュメモリに記憶させる請求項１に記載されたデジタル放送受信機。
【請求項７】
安否情報に関する複数の定型文をフラッシュメモリに記憶させる送信先登録モジュールを有する請求項１に記載されたデジタル放送受信機。
【請求項８】
前記緊急地震速報取得モジュールが、緊急地震速報の情報を受信したとき、リモコンの所定のボタンを操作することにより予め登録された安否情報サイトに接続する手段を有する請求項１に記載されたデジタル放送受信機。
【請求項９】
放送波から緊急地震速報の情報を取得する緊急地震速報取得モジュールと、
画面の前方の映像を撮影するカメラと、
前記カメラによって撮影された映像から居住者を特定する制御モジュールと、
特定された前記居住者に基づいて前記住居者の在宅状況を登録する在宅状況登録モジュールと、
前記緊急地震速報取得モジュールが、緊急地震速報の情報を受信したとき、予め登録された送信先メールアドレスに前記在宅状況を送信する安否情報送信モジュールと
を有するデジタル放送受信機。
【発明の詳細な説明】
【技術分野】
【０００１】
本発明の実施形態は、デジタル放送受信機に関する。
【背景技術】
【０００２】
近年、地震による災害を軽減することを目的として、気象庁が地震直後の小さな揺れをとらえて大きな揺れの前に震度や震源などを予測して情報を発表する緊急地震速報が実用化された。最大震度５弱以上の強い揺れが予測された場合に、震度４以上が予測される地域を広く一般に発表する防災情報である。
【０００３】
気象庁が配信するこの緊急地震速報を、デジタル放送の各放送局は速報で放送し、この放送を受信したテレビ受信機は、例えば、テレビ画面にチャイム音と共に地震が起きた場所と強い揺れが予測される地域を地図と文字とで表示するようにしている。また、携帯電話事業者の中には、最大震度５弱以上と推定した地震の際に、強い揺れ（震度４以上）の地域の携帯電話に一斉配信するようしているところがある。
【０００４】
携帯電話の利用者が、緊急地震速報が配信されたような地域にいた場合に、このことを利用者の家族や知人などの関係者に伝達することができるようにした携帯電話および緊急速報関連情報配信システムを提供することが考案されている。
【先行技術文献】
【特許文献】
【０００５】
【特許文献１】特開２００９−２６０５２８号公報
【発明の概要】
【発明が解決しようとする課題】
【０００６】
テレビを視聴中に緊急地震速報等の緊急災害情報を受信したとき、利用者は地震情報を確認するのみで、その後、必要に応じて携帯電話や固定電話等により関係者に安否情報を送信していた。しかしながら、地震発生後は、電話回線設備が被災したり、通常より急激な通話量の増加に対して携帯電話事業者によっては通信制限を加えたりするため、携帯電話や固定電話の回線通話がつながり難くなるという問題がある。
【０００７】
テレビを視聴中に緊急地震速報等を受信したときには、視聴してから地震の強い揺れが来るまでの時間が数秒から数十秒しかない。利用者は身を守ることを第一として、頭を保護し、大きな家具から離れ、丈夫な机の下などに隠れるとか、その場で火を消せる場合は火の始末をするとか、扉を開けて避難路を確保するとかの行動をとることが重要であることが言われており、安否情報あるいは在宅情報を送信するような余裕はないのが一般的である。
【０００８】
本発明の目的は、上記したような事情に鑑み成されたものであって、緊急地震速報を受信した際、即座に在宅情報・安否情報等を関係者に送信することができるデジタル放送受信機を提供することである。
【課題を解決するための手段】
【０００９】
上記目的を達成するために、実施形態によれば、デジタル放送受信機は、放送波から緊急地震速報の情報を取得する緊急地震速報取得モジュールと、居住者の在宅状況を登録する在宅状況登録モジュールと、前記緊急地震速報取得モジュールが、緊急地震速報の情報を受信したとき、予め登録された送信先メールアドレスに前記在宅状況を送信する安否情報送信モジュールとを有する。
【図面の簡単な説明】
【００１０】
【図１】第１の実施形態に係わるデジタル放送受信機の外観斜視図。
【図２】第１の実施形態に係わるデジタル放送受信機の構成を示したブロック図。
【図３】第１の実施形態に係わるリモコンの外観図。
【図４】画面に在宅状況登録表が表示された状態を示した図。
【図５】画面に別の在宅状況登録表の例が表示された状態を示した図。
【図６】画面にさらに別の在宅状況登録表の例が表示された状態を示した図。
【図７】画面に在宅状況変更確認ウィンドウが表示された状態を示した図。
【図８】第１の実施形態に係わる安否情報送信処理の動作手順を示したフローチャート。
【図９】第２の実施形態に係るデジタル放送受信機の外観斜視図。
【図１０】第２の実施形態に係るデジタル放送受信機の構成を示したブロック図。
【図１１】第３の実施形態に係るデジタル放送受信機の外観斜視図。
【図１２】第３の実施形態に係わるリモコンの外観図。
【図１３】第４の実施形態に係るデジタル放送受信機の構成を示したブロック図。
【発明を実施するための形態】
【００１１】
以下実施形態について図面を参照しながら説明する。
【００１２】
（第１の実施形態）
図１は、第１の実施形態に係るデジタル放送受信機１の外観斜視図である。デジタル放送受信機１は、デジタル放送を受信し、受信した放送番組の記録および再生が可能であって、画面に放送番組の映像を表示するデジタルテレビ等の記録再生装置である。あるいは、デジタル放送を受信し、受信した放送番組の記録および再生が可能なＤＶＤ（Digital Versatile Disc）レコーダやBlu-ray（登録商標）レコーダ等であってもよい。
【００１３】
デジタル放送受信機１は、筐体２と、筐体２を支持するスタンド３を備えている。筐体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１４】
筐体２は、筐体２の前面側と上面、底面、両側側面の一部を覆う前面カバー５と、筐体２の背面側と上面、底面、両側側面の一部を覆う背面カバー６とによって外面を囲まれている。画面７は、表示パネル４の前面カバー５の窓部５ａの内側の表示部分である。
【００１５】
リモコン８は赤外線あるいはBluetooth（登録商標）等による無線通信を利用して、デジタル放送受信機１の操作受信部へ操作信号を送る操作機器である。
【００１６】
図２は、第１の実施形態に係るデジタル放送受信機１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１７】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理モジュール１４に出力される。また、復調器１３は、ネットワーク送受信モジュール３１を介してインターネット等のネットワーク３２から受信したＩＰ放送を復調する。
【００１８】
デコード処理モジュール１４は、ＭＰＥＧデコーダ、映像音声デコーダ等の機能を有する。デコード処理モジュール１４は、復調器１３から送信されたＭＰＥＧ２−ＴＳデータをセクション化して、放送番組のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１９】
また、デコード処理モジュール１４は、記録装置１５から入力された映像データ及び音声データをデコードする。更に、デコード処理モジュール１４は、外部装置３０から入力された映像データ及び音声データをデコードする機能を有する。
【００２０】
記録装置１５は、ＨＤＤ（Hard Disk Drive）、ＳＳＤ（Solid State Drive）あるいはＯＤＤ（Optical Disc Drive）等を含む記録手段である。記録装置１５には情報を記録再生するためのエンコーダとデコーダが搭載されており、該エンコーダとデコーダを介してＭＰＥＧ２−ＴＳデータが記録装置１５の記録再生形態に適したフォーマットに変調されＨＤＤ、ＳＳＤあるいはＯＤＤに記録され、また復調されて再生される。この再生データは、デコード処理モジュール１４でデコードされる。
【００２１】
重畳処理モジュール１６は、デコード処理モジュール１４からの映像データと、バス２１を介して転送されるデータ放送やＧＵＩ（Graphical User Interface）情報によるウィンドウ描画をプレーン管理して、映像データとの重ね合わせを行い、映像処理モジュール１７に送る。
【００２２】
映像処理モジュール１７は、表示装置１８で表示可能なフォーマット（画素数、フレーム周波数、走査方式）に変換したり、表示色を任意に調整したりして、表示装置１８に出力して映像を画面７に表示させる。
【００２３】
音声処理モジュール１９は、デコード処理モジュール１４から伝送されたデジタルの音声データを、スピーカ２０あるいはイヤホンで再生可能なアナログ音声信号に変換した後、スピーカ２０あるいはイヤホンに出力して音声を再生させる。なお、表示装置１８やスピーカ２０はデジタル放送受信機１の外部にあってもよい。また、デジタル放送受信機１と別の筐体に納められていてもよい。
【００２４】
デジタル放送受信機１は、上記した受信動作を含むその全ての動作を制御モジュール２２によって統括的に制御されている。制御モジュール２２はＭＰＵ（Micro Processing Unit）２３が搭載されており、バス２１を介して接続された各構成要素を制御する。
【００２５】
ＲＡＭ（Random Access Memory）２４は、制御モジュール２２のデータ処理に必要な各種データを格納するリードライト用のメモリであり、映像データ、画像フレームの情報等を格納するバッファメモリとして動作する。ＲＯＭ（Read Only Memory）２５は読出し専用のメモリであり、ＭＰＵ２３が実行する制御のプログラムなどを格納している。
【００２６】
フラッシュメモリ２６は、書き換え可能であり、電源を切ってもデータが消えない不揮発性のメモリである。フラッシュメモリ２６は、利用者によって設定されたデジタル放送受信機１の機能及び動作に関する各種設定値を記憶する機能を有する。また、フラッシュメモリ２６は、在宅状況記憶部３８ａ、送信先記憶部３８ｂの機能を有する。
【００２７】
操作受信モジュール２７は、操作機器２８から送信される操作信号を受信し、制御モジュール２２に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２７は、これらリモコン８やキーボード等から操作信号を受信する。
【００２８】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部装置３０が接続される。外部装置端子２９ａは外部装置３０が接続される端子である。
【００２９】
デジタル放送受信機１は、外部インターフェース２９を介して外部装置３０に放送番組を記録することができる。記録装置１５または外部装置３０のどちらに記録するかを利用者が選択できる。また、デジタル放送受信機１は、外部装置３０に記録された映像または音声情報を再生することができる。
【００３０】
デジタル放送受信機１は、ネットワーク送受信モジュール３１を介してインターネット等のネットワーク３２に接続されている。これにより、デジタル放送受信機１は、ネットワーク３２上にあるサーバ３３等の機器とネットワーク送受信モジュール３１を介して情報伝送を行なうことができる。ネットワーク端子３１ａはネットワーク３２が接続される端子である。ネットワーク送受信モジュール３１とネットワーク３２の接続は有線だけでなく、例えば、ＩＥＥＥ８０２．１１シリーズの通信方式を用いた無線ＬＡＮ等の無線接続であってもよい。
【００３１】
図２において、制御モジュール２２は、緊急地震速報取得モジュール３４、在宅状況登録モジュール３５、安否情報送信モジュール３６、送信先登録モジュール３７の機能を有する。これらの機能は、制御モジュール２２のＭＰＵ２３が実行するアプリケーションであり、通常はＲＯＭ２５に格納されており、使用時にはＭＰＵ２３によって読み出され実行される。
【００３２】
緊急地震速報取得モジュール３４は、放送波から緊急地震速報の情報を取得する機能を有する。デコード処理モジュール１４が緊急地震速報の放送データをデコードした際に、デコード内容を取得する。緊急地震速報取得モジュール３４は、地震の発生時刻、地震発生場所（震源）の推定値、地震発生場所の震央地名、強い揺れ（震度５弱以上）が予測される地域及び震度４が予測される地域名等についての情報を取得し、取得したこれらの情報が震度、警戒地域等の指定条件に合致するか判定する。
【００３３】
さらに緊急地震速報取得モジュール３４は、取得した情報に基づいて画面７に表示するＧＵＩデータを生成する。ＧＵＩデータの表示内容としては、タイトル、震源データ、注意呼びかけ、警戒地域等である。タイトルは、例えば、「緊急地震速報」の文字タイトルであり、注意呼びかけは、例えば、「強い揺れに警戒」等の文字情報である。生成されたＧＵＩデータは、重畳処理モジュール１６に送出され、放送番組の映像データと重ね合わせを行い、映像処理モジュール１７を経由して表示装置１８の画面７に表示される。
【００３４】
在宅状況登録モジュール３５は、デジタル放送受信機１が設置された住居の居住者の在宅状況を入力し、登録する機能を有する。在宅状況登録モジュール３５は、居住者の氏名、あるいは愛称等を登録し、さらに居住者の在宅状況を登録するための在宅状況登録表を画面７に表示して登録した居住者の在宅状況を登録し、これらの登録内容をフラッシュメモリ２６の在宅状況記憶部３８ａに記憶させる。
【００３５】
居住者は、デジタル放送受信機１が設置された家屋に居住している関係者であり、例えば、一家族の構成員であるが、これに限るものではない。居住者の登録は、デジタル放送受信機１の設定メニューの安否情報設定の中の居住者登録の設定メニューで行うことができる。利用者がリモコン８を用いて文字入力にて登録することができる。在宅状況は、登録した居住者がその時点で各々在宅であるかまたは不在（外出）であるかの情報である。在宅状況を登録（入力）するタイミングは、例えば、デジタル放送受信機１の電源が投入されたとき、あるいはＣＭ放送が開始されたとき、あるいは一定間隔で入力画面が表示される場合等が考えられる。利用者が画面７に表示された在宅状況登録表を見ながらリモコン８を使用して在宅状況を登録する。
【００３６】
安否情報送信モジュール３６は、緊急地震速報取得モジュール３４が、緊急地震速報の情報を受信したとき、予め登録された送信先メールアドレスに在宅状況を送信する機能を有する。安否情報送信モジュール３６は、フラッシュメモリ２６の在宅状況記憶部３８ａに記憶された在宅状況の情報を、送信先記憶部３８ｂに記憶された送信先メールアドレスに、ネットワーク送受信モジュール３１、ネットワーク３２を介して送信する。
【００３７】
送信先登録モジュール３７は、緊急地震速報取得モジュール３４が、緊急地震速報の情報を受信したとき、安否情報送信モジュール３６が、在宅状況を送信する送信先のメールアドレスを登録する機能を有する。送信先メールアドレスは、デジタル放送受信機１の設定メニューの安否情報設定の中の送信先メールアドレス登録の設定メニューで行うことができる。利用者がリモコン８を用いて文字入力にて登録することができる。送信先メールアドレスはフラッシュメモリ２６の送信先記憶部３８ｂに記憶される。
【００３８】
また、送信先登録モジュール３７は、安否情報に関する複数の定型文を登録する機能を有する。これらの定型文はフラッシュメモリ２６の送信先記憶部３８ｂに記憶される。定型文は、例えば、「自宅被害無し」、「自宅待機」、「在宅者全員無事」等の短文であり、安否情報送信モジュール３６が、在宅状況を送信するときに、同時に送信する文字情報である。受信した関係者は、在宅者の状況を少ない情報ではあるが把握することができる。登録した複数の定型文は送信する優先順位を設定することができる。
【００３９】
図３は、第１の実施形態に係わるリモコン８の外観図である。リモコン８は赤外線あるいはBluetooth（登録商標）等による無線通信を利用して、デジタル放送受信機１の操作受信モジュール２７へ操作信号を送る。電源ボタン４０は、デジタル放送受信機１の電源をオンまたはオフする。詳細にはデジタル放送受信機１を待機状態から動作状態、または動作状態から待機状態にするボタンである。放送波選択ボタン４１は、放送の種類を選択する操作ボタンである。
【００４０】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００４１】
カーソルボタン４５は画面７に表示されたＧＵＩ画面の各種の情報ウィンドウ内のカーソルの移動や各種項目の選択ボタンの移動を行うためのボタンである。カーソルボタン４５は十字ボタン、方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置のボタンまたは画面上のボタンを実行するときに用いられる。
【００４２】
番組表ボタン４７は、番組表を画面７に表示するときに操作する専用の操作ボタンである。メニューボタン４８は、デジタル放送受信機１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００４３】
４色の色ボタン５１は、左から青ボタン５１ａ、赤ボタン５１ｂ、緑ボタン５１ｃ、黄ボタン５１ｄの順に配置されている。画面７上に色により区別された項目や色による選択の表示があるときに使用する。記録装置操作ボタン５２は、記録装置１５に記録された番組を再生する際に、再生、停止、一時停止、早送り再生、早戻し再生、次番組スキップ、先頭戻り・前番組スキップするためのボタンである。
【００４４】
在宅登録ボタン５３は、利用者が居住者の在宅状況を登録するとき、画面に在宅状況登録表を表示させる操作ボタンである。在宅登録ボタン５３を押下することによって利用者が随意に在宅状況登録表を画面に表示させて在宅状況を登録することができる。安否確認ボタン５４は、安否確認情報サイトへ接続するときに操作するボタンである。
【００４５】
図４は、画面７に在宅状況登録表６０が表示された状態を示した図である。在宅状況登録表６０は、居住者の在宅状況を登録するためのＧＵＩ画面であり、例えば、デジタル放送受信機１の電源が投入されたとき、あるいはＣＭ（Commercial Message）放送が開始されたとき、あるいは所定時間の間隔で画面７に表示される。所定時間は、例えば、１時間とか２時間である。ＣＭ放送は３０秒とか１分毎に次のＣＭ放送が開始されるので、ＣＭ放送の場合は所定時間（例えば１時間とか２時間）をおいて開始されたＣＭ放送に合わせるとよい。これらの表示タイミングは、デジタル放送受信機１の設定メニューの安否情報設定の中の居住者登録の設定メニューで行うことができる。またリモコン８の在宅登録ボタン５３を押下することによって在宅状況登録表６０を画面７に任意に表示させることができる。
【００４６】
図４においては、在宅状況登録表６０の表題は、「家族の在宅登録」である。予め登録された居住者５人の名前が縦に整列して表示されている。表示された名前の内１個がハイライト表示されている。図４においては、「佐藤太郎」がハイライト表示されている（図では網掛けで示されている。）。この状態で決定ボタン４６を押下すると、右側の欄がハイライト表示され、右側の欄に「在宅」が表示されていた場合は「不在」に換わって表示され、「不在」が表示されていた場合は「在宅」に換わって表示される。決定ボタン４６を押下する度に「在宅」と「不在」が交互に換わる。１段下の「佐藤花子」へ移る場合は、カーソルボタン４５ｄを押下する。同様にして居住者５人の在宅状況を登録することができる。登録後は終了ボタン５０を押下すると、通常の放送番組の表示画面へ戻る。在宅状況の情報は、在宅状況記憶部３８ａに記憶される。
【００４７】
図５は、画面７に別の在宅状況登録表６１の例が表示された状態を示した図である。在宅状況登録表６１と在宅状況登録表６０は、機能は同じであるが、表示方法が異なる。在宅状況登録表６１は、予め登録された居住者５人の名前のアイコン６２が縦方向に並んで表示されている。アイコン６２は、図４で示した予め登録された居住者５人の名前に基づいている。表示されたアイコンの内１個がハイライト表示されている。図５においては、「太郎」のアイコン６２がハイライト表示されている（図では網掛けで示されている。）。この状態で決定ボタン４６を押下すると、右側の欄の「在宅」と「不在」のハイライト表示が切り換わる。在宅の場合は「在宅」がハイライト表示され、不在の場合は「不在」がハイライト表示される。決定ボタン４６を押下する度にハイライト位置が交互に換わる。１個下のアイコンへ移るときは、カーソルボタン４５ｄを押下する。同様にして居住者５人の在宅状況を登録することができる。
【００４８】
図６は、画面７にさらに別の在宅状況登録表６３の例が表示された状態を示した図である。在宅状況登録表６１は、予め登録された居住者の名前のアイコン６２であったが、在宅状況登録表６３は、予め登録された居住者の静止画像６４が縦方向に並んで表示されている。静止画像６４は、外部装置３０から静止画像を取り込み、フラッシュメモリ２６に記憶させる。在宅状況の登録方法は図５で説明した内容と同じであるので省略する。在宅状況登録表６０、６１、６３のどれを利用するかは利用者が選択できる。
【００４９】
図７は、画面７に在宅状況変更確認ウィンドウ６５が表示された状態を示した図である。在宅状況変更確認ウィンドウ６５は、所定時間の間隔で画面７の隅に表示される。所定時間は、例えば、１時間とか２時間であり、利用者が設定できる。所定時間毎に在宅状況変更確認ウィンドウ６５が表示されることによって、番組の放送中に居住者が外出したり帰宅したりした場合に適宜登録内容を修正することができる。
【００５０】
在宅状況変更確認ウィンドウ６５の「はい」ボタンを選択して決定ボタン４６を押下すると在宅状況登録表６０、あるいは在宅状況登録表６１、あるいは在宅状況登録表６３が表示される。「いいえ」ボタンを選択して決定ボタン４６を押下する、あるいは一定時間決定ボタン４６の押下がない場合は在宅状況変更確認ウィンドウ６５が画面７から消去される。一定時間は、例えば、３０秒とか１分である。
【００５１】
図８は、第１の実施形態に係わる安否情報送信処理の動作手順を示したフローチャートである。このフローチャートの例は、デジタル放送受信機１の電源が投入されたときに在宅状況登録表が表示されることを前提としている。また、居住者の登録は、デジタル放送受信機１の設定メニューの安否情報設定の中の居住者登録の設定メニューで予め登録されていることを前提としている。
【００５２】
Ｓ１１において、デジタル放送受信機１の電源が投入され、在宅状況登録モジュール３５が、画面７に在宅状況登録表６０、あるいは在宅状況登録表６１、あるいは在宅状況登録表６３を表示する。Ｓ１２において、利用者のリモコン操作による指示に従って、在宅状況登録モジュール３５が、在宅状況の登録内容を在宅状況記憶部３８ａに記憶させる。
【００５３】
Ｓ１３において、制御モジュール２２は、緊急地震速報取得モジュール３４が、緊急地震速報の放送データのデコード内容を取得したかを判定する。デコード内容を取得したならば、Ｓ１４へ進み、取得していないならば、Ｓ１３へ戻る。
【００５４】
Ｓ１４において、緊急地震速報取得モジュール３４は、緊急地震速報の内容が、震度、警戒地域等について指定条件に合致するか判定する。合致していればＳ１５へ進み、合致していなければ、終了する。
【００５５】
Ｓ１５において、安否情報送信モジュール３６は、登録された送信先メールアドレスに在宅状況を送信して終了する。
【００５６】
以上のように、緊急地震速報取得モジュール３４が、緊急地震速報の放送データのデコード内容を取得し、震度、警戒地域等の指定条件に合致していれば、緊急地震速報のＧＵＩ画面を画面７に表示すると共に、安否情報送信モジュール３６が、在宅状況登録モジュール３５によって登録された在宅状況の情報を登録された送信先メールアドレスに送信する。このようにすることによって緊急地震速報を受信した際、即座に自動的に在宅情報・安否情報等を関係者に送信することができる。
【００５７】
（第２の実施形態）
図９は、第２の実施形態に係るデジタル放送受信機７０の外観斜視図である。また、図１０は、第２の実施形態に係るデジタル放送受信機７０の構成を示したブロック図である。この第２の実施形態の各部について、図１および図２に示した第１の実施形態の各部と同一部分は同一符号である。この第２の実施形態が第１の実施形態と異なる点は、デジタル放送受信機７０はカメラ７２とカメラ映像処理モジュール７１を備えた構成としていることにある。
【００５８】
図９において、カメラ７２は、前面カバー５の中央上部に設けられている。カメラ７２は、前面カバー５の中央下部やその近辺に設置されても構わない。また、筐体２内に内蔵されない外付けのカメラであってもよい。カメラ７２は、デジタル放送受信機７０の前面側に存在する人物の画像を撮影することができる。
【００５９】
図１０において、カメラ映像処理モジュール７１は、カメラ７２の撮像データを受信して、画像処理を行う。画像処理された画像データは、制御モジュール２２に送信され、制御モジュール２２において、例えば、既知の顔認証等による認証方法によって撮影された人物を特定する。特定された人物は在宅者であることから、在宅状況登録モジュール３５は、カメラ７２で撮影した時点の在宅者を登録または確認することができる。カメラ７２で撮影されなかった在宅者、あるいは撮影したデータに欠陥が多く認証不可であった在宅者については、登録または確認することはできない。
【００６０】
カメラ７２が、撮影するタイミングは、例えば、所定時間の間隔で撮影する。所定時間は、例えば、１時間とか２時間であり、利用者が設定できる。所定時間毎にカメラ７２がデジタル放送受信機７０の前面側に存在する人物の画像を撮影し、この撮影によって特定された居住者については在宅していることが自動的に登録され、在宅状況の情報が更新される。
【００６１】
（第３の実施形態）
図１１は、第３の実施形態に係るデジタル放送受信機１の外観斜視図である。この第３の実施形態の各部について、図１に示した第１の実施形態の各部と同一部分は同一符号である。この第３の実施形態が第１の実施形態と異なる点は、リモコン８０に指紋センサ８１が搭載されていることにある。
【００６２】
図１２は、第３の実施形態に係わるリモコン８０の外観図である。図１２に示したリモコン８０の各部について、図３に示した第１の実施形態のリモコン８の各部と同一部分は同一符号である。指紋センサ８１は、利用者の指紋の画像を取得するためのセンサである。リモコン８０は、指紋センサ８１の指紋画像から特徴点抽出あるいはパターンマッチング等の既知の方法によって、指紋認証する機能を有する。
【００６３】
在宅状況登録モジュール３５によって、居住者の氏名、あるいは愛称等を登録するとき、あるいは登録後に住居者の指紋認証データを登録し、フラッシュメモリ２６の在宅状況記憶部３８ｂに記憶させておく。指紋認証データはリモコン８０から送信される住居者毎のデータである。住居者がリモコン８０の指紋センサ８１に指を当てると、リモコン８０は、認証可能データであれば指紋認証し、操作受信モジュール２７に指紋認証データを送信する。操作受信モジュール２７は、受信した指紋認証データを制御モジュール２２に送信する。在宅状況登録モジュール３５は、送信された指紋認証データの該当人物が在宅であることを自動的に登録し、在宅状況の情報が更新される。
【００６４】
（第４の実施形態）
図１３は、第４の実施形態に係るデジタル放送受信機８０の構成を示したブロック図である。この第４の実施形態の各部について、図２に示した第１の実施形態の各部と同一部分は同一符号である。この第４の実施形態が第１の実施形態と異なる点は、デジタル放送受信機９０の制御モジュール９１は、安否情報サイトアクセスモジュール９２が追加された構成としていることにある。安否情報サイトあるいは安否確認情報サイトは、地震等による災害が発生した際に電話会社等の民間会社あるいは地方自治体等が立ち上げる安否確認のためのウェブサイトである。
【００６５】
安否情報サイトアクセスモジュール９２は、緊急地震速報取得モジュールが、緊急地震速報の情報を受信したとき、リモコンの所定のボタンを操作することにより予め登録された安否情報サイトに接続する手段である。安否情報サイトアクセスモジュール９２は、予め登録された安否情報サイトにネットワーク送受信モジュール３１を介して接続する機能を有する。利用者がリモコン８の安否確認ボタン５４を押下すると予め登録された安否確認情報サイトへ接続する。携帯電話やパソコンを使用することなく、簡単な操作で安否確認情報サイトへ接続することが可能である。
【００６６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６７】
１  デジタル放送受信機
７  画面
８  リモコン
１４  デコード処理モジュール
１５  記録装置
１６  重畳処理モジュール
１７  映像処理モジュール
１８  表示装置
２２  制御モジュール
２３  ＭＰＵ
２４  ＲＡＭ
２５  ＲＯＭ
２６  フラッシュメモリ
２７  操作受信モジュール
２８  操作機器
２９  外部インターフェース
３０  外部装置
３１  ネットワーク送受信モジュール
３２  ネットワーク
３３  サーバ
３４  緊急地震速報取得モジュール
３５  在宅状況登録モジュール
３６  安否情報送信モジュール
３７  送信先登録モジュール
３８ａ  在宅状況記憶部
３８ｂ  送信先記憶部
４５ａ〜４５ｃ  カーソルボタン
４６  決定ボタン
４８  メニューボタン
５３  在宅登録ボタン
５４  安否確認ボタン
６０  在宅状況登録表
６１  在宅状況登録表
６２  アイコン
６３  在宅状況登録表
６４  静止画像
６５  在宅状況変更確認ウィンドウ
７０  デジタル放送受信機
７１  カメラ映像処理モジュール
７２  カメラ
８０  リモコン
８１  指紋センサ
９０  デジタル放送受信機
９１  制御モジュール
９２  安否情報サイトアクセスモジュール
【図１】
2013207786.tif 000003
【図２】
2013207786.tif 000004
【図３】
2013207786.tif 000005
【図４】
2013207786.tif 000006
【図５】
2013207786.tif 000007
【図６】
2013207786.tif 000008
【図７】
2013207786.tif 000009
【図８】
2013207786.tif 000010
【図９】
2013207786.tif 000011
【図１０】
2013207786.tif 000012
【図１１】
2013207786.tif 000013
【図１２】
2013207786.tif 000014
【図１３】
2013207786.tif 000015